【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
光学系を介して得られた第１の画像に対して画像回復処理を行うことにより第２の画像を生成する画像回復部と、
少なくとも前記第２の画像に基づくエッジ情報に応じて前記第１の画像と前記第２の画像との合成比率を算出する合成比率算出部と、
前記合成比率に応じて前記第１の画像と前記第２の画像との合成画像を生成する合成部と、を有する、ことを特徴とする画像処理装置。
【請求項２】
前記エッジ情報は、前記第１の画像と前記第２の画像との差分絶対値であることを特徴とする請求項１に記載の画像処理装置。
【請求項３】
前記エッジ情報は、前記第２の画像から検出されることを特徴とする請求項１に記載の画像処理装置。
【請求項４】
前記合成比率算出部は、前記エッジ情報が第１の閾値以上である第１の画素位置では、前記エッジ情報が前記第１の閾値よりも小さい第２の画素位置よりも前記第１の画像に対する前記第２の画像の合成比率が高くなるように、前記合成比率を算出することを特徴とする請求項１乃至３のいずれか１項に記載の画像処理装置。
【請求項５】
前記合成部は、
前記エッジ情報が第１の閾値以上である第１の画素位置において、前記第２の画像を用いて前記合成画像を生成し、
前記エッジ情報が前記第１の閾値よりも小さい第２の閾値以下である第２の画素位置において、前記第１の画像を用いて前記合成画像を生成し、
前記エッジ情報が前記第１の閾値よりも小さく、かつ、前記第２の閾値よりも大きい第３の画素位置において、前記第１の画像および前記第２の画像の両方を用いて前記合成画像を生成することを特徴とする請求項1乃至３のいずれか１項に記載の画像処理装置。
【請求項６】
前記合成部は、前記第３の画素位置において、
前記エッジ情報が前記第１の閾値よりも前記第２の閾値に近い場合、前記第２の画像よりも前記第１の画像の合成比率を高め、
前記エッジ情報が前記第２の閾値よりも前記第１の閾値に近い場合、前記第１の画像よりも前記第２の画像の合成比率を高めることを特徴とする請求項５に記載の画像処理装置。
【請求項７】
光学系を介して得られた第１の画像に対して画像回復処理を行うことにより第２の画像を生成する画像回復部と、
前記第１の画像および前記第２の画像のそれぞれの彩度に基づいて、前記第１の画像と前記第２の画像との合成比率を算出する合成比率算出部と、
前記合成比率に応じて前記第１の画像と前記第２の画像との合成画像を生成する合成部と、を有する、ことを特徴とする画像処理装置。
【請求項８】
前記合成部は、
前記第１の画像の彩度が前記第２の画像の彩度よりも低い第４の画素位置において、該第１の画像を用いて前記合成画像を生成し、
前記第２の画像の彩度が前記第１の画像の彩度よりも低い第５の画素位置において、該第２の画像を用いて前記合成画像を生成することを特徴とする請求項７に記載の画像処理装置。
【請求項９】
前記画像回復部は、前記光学系の収差により劣化した前記第１の画像に対して前記画像回復処理を行うことにより、前記第２の画像を生成することを特徴とする請求項１乃至８のいずれか１項に記載の画像処理装置。
【請求項１０】
光学系を介して得られた光学像を光電変換して画像信号を得る撮像素子と、
前記画像信号に基づく第１の画像に対して画像回復処理を行うことにより第２の画像を生成する画像回復部と、
少なくとも前記第２の画像に基づくエッジ情報に応じて前記第１の画像と前記第２の画像との合成比率を算出する合成比率算出部と、
前記合成比率に応じて前記第１の画像と前記第２の画像との合成画像を生成する合成部と、を有する、ことを特徴とする撮像装置。
【請求項１１】
光学系を介して得られた光学像を光電変換して画像信号を得る撮像素子と、
前記画像信号に基づく第１の画像に対して画像回復処理を行うことにより第２の画像を生成する画像回復部と、
前記第１の画像および前記第２の画像のそれぞれの彩度に基づいて、前記第１の画像と前記第２の画像との合成比率を算出する合成比率算出部と、
前記合成比率に応じて前記第１の画像と前記第２の画像との合成画像を生成する合成部と、を有する、ことを特徴とする撮像装置。
【請求項１２】
光学系を備えたレンズ装置と、
請求項１０または１１に記載の撮像装置と、を有することを特徴とする撮像システム。
【請求項１３】
光学系を介して得られた第１の画像に対して画像回復処理を行うことにより第２の画像を生成する画像回復ステップと、
少なくとも前記第２の画像に基づくエッジ情報に応じて前記第１の画像と前記第２の画像との合成比率を算出する合成比率算出ステップと、
前記合成比率に応じて前記第１の画像と前記第２の画像との合成画像を生成する合成ステップと、を有する、ことを特徴とする画像処理方法。
【請求項１４】
光学系を介して得られた第１の画像に対して画像回復処理を行うことにより第２の画像を生成する画像回復ステップと、
前記第１の画像および前記第２の画像のそれぞれの彩度に基づいて、前記第１の画像と前記第２の画像との合成比率を算出する合成比率算出ステップと、
前記合成比率に応じて前記第１の画像と前記第２の画像との合成画像を生成する合成ステップと、を有する、ことを特徴とする画像処理方法。
【請求項１５】
コンピュータに、請求項１３または１４に記載の画像処理方法を実行させるように構成されていることを特徴とするプログラム。
【請求項１６】
請求項１５に記載のプログラムを記憶していることを特徴とする記憶媒体。
【手続補正２】
【補正対象書類名】明細書
【補正対象項目名】発明の名称
【補正方法】変更
【補正の内容】
【発明の名称】画像処理装置、撮像装置、画像処理方法、プログラム、および、記憶媒体
【手続補正３】
【補正対象書類名】明細書
【補正対象項目名】０００６
【補正方法】変更
【補正の内容】
【０００６】
本発明の一側面としての画像処理装置は、光学系を介して得られた第１の画像に対して画像回復処理を行うことにより第２の画像を生成する画像回復部と、少なくとも前記第２の画像に基づくエッジ情報に応じて前記第１の画像と前記第２の画像との合成比率を算出する合成比率算出部と、前記合成比率に応じて前記第１の画像と前記第２の画像との合成画像を生成する合成部とを有する。
本発明の他の側面としての画像処理装置は、光学系を介して得られた第１の画像に対して画像回復処理を行うことにより第２の画像を生成する画像回復部と、前記第１の画像および前記第２の画像のそれぞれの彩度に基づいて、前記第１の画像と前記第２の画像との合成比率を算出する合成比率算出部と、前記合成比率に応じて前記第１の画像と前記第２の画像との合成画像を生成する合成部とを有する。
【手続補正４】
【補正対象書類名】明細書
【補正対象項目名】０００７
【補正方法】変更
【補正の内容】
【０００７】
本発明の他の側面としての撮像装置は、光学系を介して得られた光学像を光電変換して画像信号を得る撮像素子と、前記画像信号に基づく第１の画像に対して画像回復処理を行うことにより第２の画像を生成する画像回復部と、少なくとも前記第２の画像に基づくエッジ情報に応じて前記第１の画像と前記第２の画像との合成比率を算出する合成比率算出部と、前記合成比率に応じて前記第１の画像と前記第２の画像との合成画像を生成する合成部とを有する。
【手続補正５】
【補正対象書類名】明細書
【補正対象項目名】０００８
【補正方法】変更
【補正の内容】
【０００８】
本発明の他の側面としての撮像装置は、光学系を介して得られた光学像を光電変換して画像信号を得る撮像素子と、前記画像信号に基づく第１の画像に対して画像回復処理を行うことにより第２の画像を生成する画像回復部と、前記第１の画像および前記第２の画像のそれぞれの彩度に基づいて、前記第１の画像と前記第２の画像との合成比率を算出する合成比率算出部と、前記合成比率に応じて前記第１の画像と前記第２の画像との合成画像を生成する合成部とを有する。
【手続補正６】
【補正対象書類名】明細書
【補正対象項目名】０００９
【補正方法】変更
【補正の内容】
【０００９】
本発明の他の側面としての画像処理方法は、光学系を介して得られた第１の画像に対して画像回復処理を行うことにより第２の画像を生成する画像回復ステップと、少なくとも前記第２の画像に基づくエッジ情報に応じて前記第１の画像と前記第２の画像との合成比率を算出する合成比率算出ステップと、前記合成比率に応じて前記第１の画像と前記第２の画像との合成画像を生成する合成ステップとを有する。
本発明の他の側面としての画像処理方法は、光学系を介して得られた第１の画像に対して画像回復処理を行うことにより第２の画像を生成する画像回復ステップと、前記第１の画像および前記第２の画像のそれぞれの彩度に基づいて、前記第１の画像と前記第２の画像との合成比率を算出する合成比率算出ステップと、前記合成比率に応じて前記第１の画像と前記第２の画像との合成画像を生成する合成ステップとを有する。